(57)【要約】【課題】コストを低減しつつ、表示される映像の画質劣化を防止すること。【解決手段】映像変化検出部が、映像データの特性を表す映像特性を取得し、映像サイズ制御部が、取得された映像特性に基づいて映像データを表示する際の表示倍率を決定するように表示装置を構成する。また、映像サイズ制御部が、番組ジャンル取得部、車両情報取得部、個人特性取得部および行動特性取得部から受け取った情報に基づいて映像データを表示する際の表示倍率を決定するように表示装置を構成する。【選択図】        図２
2009141389.tif 000002
【特許請求の範囲】
【請求項１】
映像データを表示する表示装置であって、
前記映像データの特性を表す映像特性を取得する映像特性取得手段と、
前記映像特性取得手段によって取得された前記映像特性に基づいて前記映像データを表示する際の表示倍率を決定する表示倍率決定手段と
を備えたことを特徴とする表示装置。
【請求項２】
前記映像特性取得手段は、
時系列の前記映像データから映像の動きの大きさまたは変化率を前記映像特性として取得するものであって、
前記表示倍率決定手段は、
前記映像特性に含まれる前記動きの大きさまたは変化率が大きいほど前記表示倍率が低くなるように決定することを特徴とする請求項１に記載の表示装置。
【請求項３】
前記映像特性取得手段は、
自系列の前記映像データから映像の輝度変化の大きさまたは変化率を前記映像特性として取得するものであって、
前記表示倍率決定手段は、
前記映像特性に含まれる前記輝度変化の大きさまたは変化率が大きいほど前記表示倍率が低くなるように決定することを特徴とする請求項１または２に記載の表示装置。
【請求項４】
前記映像特性取得手段は、
前記映像データに係る番組情報のジャンルを前記映像特性として取得するものであって、
前記表示倍率決定手段は、
前記映像特性に含まれる前記番組情報のジャンルに基づいて前記表示倍率を決定することを特徴とする請求項１、２または３に記載の表示装置。
【請求項５】
前記映像特性取得手段は、
前記映像データを搬送する受信電波の電界強度を前記映像特性として取得するものであって、
前記表示倍率決定手段は、
前記映像特性に含まれる前記電界強度が大きいほど前記表示倍率が高くなるように決定することを特徴とする請求項１〜４のいずれか一つに記載の表示装置。
【請求項６】
前記映像特性取得手段は、
前記映像データを搬送する受信電波から当該映像データを復元する際の復元精度を前記映像特性として取得するものであって、
前記表示倍率決定手段は、
前記映像特性に含まれる前記復元精度が高いほど前記表示倍率が高くなるように決定することを特徴とする請求項１〜５のいずれか一つに記載の表示装置。
【請求項７】
前記表示装置が搭載される車両の車両状態を取得する車両状態取得手段
をさらに備え、
前記表示倍率決定手段は、
前記車両状態取得手段が取得した車両状態に基づいて前記表示倍率を決定することを特徴とする請求項１〜６のいずれか一つに記載の表示装置。
【請求項８】
前記表示装置が搭載される車両を運転する運転者の個人特性を取得する個人特性取得手段
をさらに備え、
前記表示倍率決定手段は、
前記個人特性取得手段が取得した前記個人特性に基づいて前記表示倍率を決定することを特徴とする請求項１〜７のいずれか一つに記載の表示装置。
【請求項９】
前記運転者の行動特性を取得する行動特性取得手段
をさらに備え、
前記表示倍率決定手段は、
前記行動特性取得手段が取得した前記行動特性に基づいて前記表示倍率を決定することを特徴とする請求項８に記載の表示装置。
【請求項１０】
映像データの表示方法であって、
前記映像データの特性を表す映像特性を取得する映像特性取得工程と、
前記特性取得工程において取得された前記映像特性に基づいて前記映像データを表示する際の表示倍率を決定する表示倍率決定工程と
を含んだことを特徴とする表示方法。
【発明の詳細な説明】
【技術分野】
【０００１】
この発明は、映像データを表示する表示装置および表示方法に関し、特に、コストを低減することができるとともに、表示される映像の画質劣化を防止することができる表示装置および表示方法に関する。
【背景技術】
【０００２】
ＧＰＳ（Global  Positioning  System）を利用したカーナビゲーションシステムの普及に伴い、車両には、ナビゲーション情報や、テレビ画像、ＤＶＤ（Digital  Versatile  Disk）画像を表示する液晶ディスプレイなどの表示装置が搭載される場合が多くなってきた。
【０００３】
ところで、いわゆるワンセグ（One  Segment）放送（携帯電話向け地上デジタル放送）に係る映像や、携帯プレーヤーで再生する映像のように本来の映像サイズが小さい映像を表示装置に表示する場合、表示装置における表示エリア全体を用いる全画面サイズで表示することが一般的である。このため、これらの映像の画質劣化が発生する。
【０００４】
なお、特許文献１には、複数の低解像度画像を合成することによって高精度画像を生成する技術が開示されている。
【０００５】
【特許文献１】特開２００６−２０３７１７号公報
【発明の開示】
【発明が解決しようとする課題】
【０００６】
しかしながら、特許文献１の技術は、複雑な画像処理を行うために画像処理の処理負荷やメモリ使用量が増大し、表示装置のコストが高くつくという問題がある。その一方で、表示装置に表示する映像の画質劣化を防止したいというニーズは大きい。
【０００７】
これらのことから、コストを低減することができるとともに、表示される映像の画質劣化を防止することができる表示装置あるいは表示方法をいかにして実現するかが大きな課題となっている。
【０００８】
この発明は、上述した従来技術による問題点を解消するためになされたものであり、コストを低減することができるとともに、表示される映像の画質劣化を防止することができる表示装置および表示方法を提供することを目的とする。
【課題を解決するための手段】
【０００９】
上述した課題を解決し、目的を達成するため、本発明は、映像データを表示する表示装置であって、前記映像データの特性を表す映像特性を取得する映像特性取得手段と、前記映像特性取得手段によって取得された前記映像特性に基づいて前記映像データを表示する際の表示倍率を決定する表示倍率決定手段とを備えたことを特徴とする。
【００１０】
また、本発明は、映像データの表示方法であって、前記映像データの特性を表す映像特性を取得する映像特性取得工程と、前記特性取得工程において取得された前記映像特性に基づいて前記映像データを表示する際の表示倍率を決定する表示倍率決定工程とを含んだことを特徴とする。
【発明の効果】
【００１１】
本発明によれば、映像データの特性を表す映像特性を取得し、取得された映像特性に基づいて映像データを表示する際の表示倍率を決定することとしたので、コストの低減を図りつつ、表示される映像の画質劣化を防止することができるという効果を奏する。
【発明を実施するための最良の形態】
【００１２】
以下に添付図面を参照して、この発明に係る表示装置および表示方法の好適な実施例を詳細に説明する。なお、以下では、自動車に搭載される表示装置について説明するが、屋内等に設置される表示装置に適用することとしてもよい。
【００１３】
また、以下では、ワンセグ放送に係る映像データを表示する場合について説明するが、表示装置１０に接続されたディスプレイの表示サイズは、ワンセグ放送に係る映像データの表示サイズよりも大きいものとする。なお、本発明は、表示エリアよりも映像データのサイズが小さい他の映像データを表示する場合についても適用することができる。
【実施例】
【００１４】
図１は、本実施例に係る表示装置１０の概要を示す図である。同図に示すように、表示装置１０は、自動車等の車両に搭載されており、ワンセグ放送を行う放送センターから発信された放送波を受信する。この放送波には映像データが含まれており、表示装置１０は、受信した映像データに係る「映像特性」に基づいて映像データの表示倍率を決定する。
【００１５】
ここで、「映像特性」とは、自系列映像データの動きや、自系列映像データの輝度変化など、画質の優劣を左右する特性のことを指す。なお、表示装置１０は、放送波に重畳された番組情報に基づいて映像特性を予測する処理を行うが、この点については後述することとする。また、表示装置１０は、車両の走行状態や走行環境を表す車両情報、運転者の年齢、性別、視覚疲労状態といった個人特性、運転者の走行パターンなどの行動特性に基づいて映像データの表示倍率を決定する処理を行うが、この点についても後述することとする。
【００１６】
図１に示したように、表示装置１０は、受信した放送波に基づいて映像データに係る映像特性を取得する（図１の（１）参照）。なお、取得する映像特性には、上記したように、自系列映像データの動きや時系列映像データの輝度変化等がある。そして、表示装置１０は、取得した映像特性に基づいて映像データに係る画質の優劣を判定し（図１の（２）参照）、映像データをディスプレイ等に表示する際の表示サイズを決定する（図１の（３）参照）。
【００１７】
このように、表示装置１０は、映像データに係る映像特性に基づいて映像データの表示倍率を決定することとしのたで、表示された映像の画質劣化を抑制することができる。たとえば、動きの大きいスポーツ中継番組などの場合には、表示倍率を１倍としてディスプレイに表示することで、動きの大きい映像データを拡大表示した場合に生じる画質劣化を抑制することができる。
【００１８】
一方、動きの小さいニュース番組などの場合には、たとえば、映像データをディスプレイの表示サイズいっぱいになるように表示倍率を決定するが（全画面表示）、動きの小さい映像データの場合には拡大表示しても画質劣化は目立たないものとなる。
【００１９】
次に、表示装置１０の構成について図２を用いて説明する。図２は、表示装置１０の構成を示すブロック図である。同図に示すように、表示装置１０は、放送波を受信するアンテナと接続されたＲＦ／ＩＦ１１と、ＯＦＤＭ１２と、Ｄｅｍｕｘ１３と、ＡＡＣデコーダ１４と、Ｈ２６４デコーダ１５と、制御部１６とを備えている。なお、同図においては、表示装置１０がビデオ出力するディスプレイを図示していないが、表示装置１０が、このディスプレイを備えるように構成することとしてもよい。
【００２０】
制御部１６は、映像劣化検出部１６ａと、映像サイズ制御部１６ｂと、画面制御部１６ｃと、番組ジャンル取得部１６ｄと、車両情報取得部１６ｅと、個人特性取得部１６ｆと、行動特性取得部１６ｇとをさらに備えている。
【００２１】
ＲＦ（Radio  Frequency）／ＩＦ（Intermediate  Frequency）１１は、放送波の検波・増幅を行うデバイスであり、増幅したＩＦ（Intermediate  Frequency）信号をＯＦＤＭ１２へ出力する処理を行う。また、ＲＦ／ＩＦ１１は、受信した放送波の電界強度を制御部１６の映像劣化検出部１６ａへ出力する処理も併せて行う。
【００２２】
ＯＦＤＭ（Orthogonal  Frequency  Division  Multiplexing）１２は、直交周波数分割多重方式のデジタル復調を行うデバイスであり、ＴＳ（トランスポートストリーム）信号をＤｅｍｕｘ１３へ、ＳＰ（Scattered  Pilot）信号およびＣＰ（Continual  Pilot）信号を制御部１６の映像劣化検出部１６ａへ、それぞれ出力する処理を行う。
【００２３】
Ｄｅｍｕｘ１３は、ＯＦＤＭ１２から受け取ったＴＳ信号を、音声信号、映像信号およびデータ信号に分離する処理を行うデバイスである。ここで、データ信号は、放送波に重畳されたＥＰＧ（Electronic  Program  Guide）、すなわち、電子番組ガイドのことを指す。なお、Ｄｅｍｕｘ１３は、放送波から分離した音声信号をＡＡＣデコーダ１４へ、映像信号をＨ２６４デコーダへ、データ信号を制御部１６の番組ジャンル取得部１６ｄへ、それぞれ出力する処理を行う。
【００２４】
ＡＡＣ（Advanced  Audio  Coding）デコーダ１４は、ＭＰＥＧ（Moving  Picture  Experts  Group）−４等の圧縮方式で圧縮された音声データを復号（デコード）する処理を行うデバイスである。このＡＡＣデコーダ１４は、Ｄｅｍｕｘ１３から受け取った音声信号をデコードし、デコードした音声信号を音声出力としてアンプ等の外部装置へ出力する処理を行う。
【００２５】
Ｈ２６４デコーダ１５は、Ｈ．２６４と呼ばれる動画圧縮規格に準拠した圧縮方式で圧縮された映像信号を復号（デーコード）する処理を行うデバイスである。このＨ２６４デコーダ１５は、Ｄｅｍｕｘ１３から受け取った映像信号をデコードし、デコードした映像信号を制御部１６の映像劣化検出部１６ａおよび画面制御部１６ｃへ出力する処理を行う。
【００２６】
制御部１６は、ＲＦ／ＩＦ１１から受け取った電界強度、ＯＦＤＭ１２から受け取ったＳＰ信号およびＣＰ信号、Ｈ２６４デコーダから受け取った映像信号に基づいて映像変化を検出し、検出した映像変化を含む映像特性に基づいて映像データの映像サイズを決定したうえで、決定した映像サイズの映像データをビデオ出力としてディスプレイ等の外部装置へ出力する処理を行う処理部である。
【００２７】
映像劣化検出部１６ａは、ＲＦ／ＩＦ１１から受けとった電界強度、ＯＦＤＭ１２から受け取ったＳＰ信号およびＣＰ信号、Ｈ２６４デコーダ１５から受け取った映像信号に基づいて映像の劣化状況を検出し、映像の劣化状況をランク分けした検出結果を映像サイズ制御部１６ｂへ渡す処理を行う処理部である。具体的には、この映像劣化検出部１６ａは、自系列の映像信号について、映像の動きの大きさおよび動きの変化率（速さ）を検出するとともに、映像の輝度変化の大きさおよび輝度変化の変化率（速さ）を検出し、映像の劣化状況を判定する。
【００２８】
ここで、映像信号は、自系列のフレームから構成されるが、映像劣化検出部１６ａは、たとえば、各フレームからエッジを抽出し、抽出したエッジの移動量に基づいて映像の動きの大きさを検出する。また単位時間あたりの動きの変化率については、検出した動きの大きさおよびフレームの更新間隔に基づいて検出する。そして、映像の動きの大きさまたは動きの変化率のランク付けを行い、ランク付けした結果を映像サイズ制御部１６ｂへ通知する。
【００２９】
かかるランク付けは、各ランクに対応するように予め定めた値域に該当するか否かを判定することによって行われ、たとえば、値が小さいほうから大きいほうへ、１〜２の各整数、１〜５の各整数等の複数段階のランクで表わされる。なお、各ランクが大きい場合、すなわち、映像劣化が大きい場合には、映像サイズ制御部１６ｆが決定する表示倍率は小さいものとなる。
【００３０】
また、映像の輝度変化については、各フレームにおける所定位置同士を比較することによって輝度差を検出し、単位時間あたりの輝度変化の変化率については、検出した輝度差およびフレームの更新間隔に基づいて検出する。なお、所定時間にわたる平均をとることで、上記した動きの大きさ、動きの変化率、輝度変化の大きさおよび輝度変化の変化率を検出することとしてもよい。
【００３１】
また、映像劣化検出部１６ａは、ＲＦ／ＩＦ１１から受けとった電界強度についても上記したランク付けを行うとともに、ＯＦＤＭ１２から受け取ったＳＰ信号およびＣＰ信号の取得成功率等に基づいて上記したランク付けを行う。このように、電界強度を用いることで、電波状況が悪い場合、すなわち、電界強度が弱い場合には画質劣化が大きいと判定することができる。また、ＳＰ信号およびＣＰ信号の取得成功率等を用いることで、取得成功率が悪い場合には、画質劣化が大きいと判定することができる。
【００３２】
映像サイズ制御部１６ｂは、映像劣化検出部１６ａから受け取った映像劣化状況、番組ジャンル取得部１６ｄから受け取った番組ジャンル、車両情報取得部１６ｅから受け取った車両情報、個人特性取得部１６ｆから受け取った個人特性および行動特性取得部１６ｇから受け取った行動特性に基づいて映像サイズを決定する処理を行う。そして、この映像サイズ制御部１６ｂは、決定した映像サイズを画面制御部１６ｃへ通知する処理を併せて行う。なお、映像サイズ制御部１６ｂが行う表示倍率決定処理の詳細な処理手順については、図４、図５および図６を用いて後述する。
【００３３】
画面制御部１６ｃは、映像サイズ制御部１６ｂが決定した表示倍率に基づき、Ｈ２６４デコーダから受け取った映像信号を拡大／縮小する処理を行ったうえで、ビデオ出力としてディスプレイ等の外部装置へ出力する処理を行う処理部である。なお、この画面制御部１６ｃは、放送波に含まれる字幕データや、車載機器から受け取った車載情報等を映像信号に合成する処理を行う処理部でもある。
【００３４】
ここで、この画面制御部１６ｃによって出力されるビデオ出力の例について図３を用いて説明する。図３は、画面制御部１６ｃによって出力されるビデオ出力の例を示す図である。なお、同図に示す符号３０は、ビデオ出力の出力先となるディスプレイの最大表示サイズを示している。また、同図においては、ディスプレイの最大表示サイズが８００ドット×４８０ドットであり、受信した放送波に係る映像のサイズが３２０ドット×１８０ドットである場合について示している。
【００３５】
また、同図においては、映像劣化検出部１６ａが、劣化「小」、劣化「中」および劣化「大」の３段階の映像劣化状況を映像サイズ制御部１６ｄへ通知し、映像サイズ制御部１６ｄが、劣化「小」である場合に表示倍率を「全画面表示」に、劣化「大」である場合に表示倍率を「１倍」に、劣化「中」である場合に表示倍率を「２倍」に、それぞれ決定した場合について示している。
【００３６】
同図に示すように、映像サイズ制御部１６ｂが表示倍率を「全画面表示」と決定した場合には、同図の符号３１に示すように、最大表示サイズに映像が拡大されて表示される（同図の（１）参照）。また、映像サイズ制御部１６ｂが表示倍率を「１倍」と決定した場合には、同図の符号３２に示すように、映像サイズを変更することなく表示される（同図の（２）参照）。また、映像サイズ制御部１６ｂが表示倍率を「２倍」と決定した場合には、同図の符号３３に示すように、映像が２倍に拡大されて表示される（同図の（３）参照）。
【００３７】
ところで、１倍表示をした場合や（同図の（２）参照）、２倍表示をした場合には（同図の（３）参照）、映像が表示されない領域に、字幕表示エリア３２ａや、車載情報エリア３３ａが表示制御部１６ｃによって合成され、各種情報を利用者に通知することができる。したがって、全画面表示を行わないことによる情報量の損失を効果的に抑制することができる。
【００３８】
また、１倍表示や２倍表示の対象となる映像としては、たとえば、スポーツ中継番組や音楽番組などの動きや輝度変化が大きい番組があげられる。そして、全画面表示の対象となる映像としては、ニュース番組など動きや輝度変化が小さい番組がある。なお、ニュース番組などのように、動きや輝度変化が小さい番組の場合であっても、電界強度、ＳＰ信号およびＣＰ信号に基づいて映像劣化検出部１６ａが、映像劣化している旨を検出した場合には、１倍表示や２倍表示の対象となる。
【００３９】
図２の説明に戻り、番組ジャンル取得部１６ｄについて説明する。番組ジャンル取得部１６ｄは、Ｄｅｍｕｘ１３から受け取ったデータ信号、すなわち、ＥＰＧ（Electronic  Program  Guide）に基づき、受信した放送波に係る番組ジャンルを取得する処理を行う処理部である。ここで、番組ジャンルには、映画、ドラマ、スポーツ、音楽、バラエティ、ニュース・報道等がある。このように、番組ジャンルを取得することで、スポーツ番組や音楽番組であれば、映像の動きや輝度変化が大きく映像が劣化しやすい旨を、ニュース番組であれば、映像の動きや輝度変化が小さく映像が劣化しにくい旨を、それぞれ推定することが可能となる。
【００４０】
車両情報取得部１６ｅは、速度センサ、ジャイロセンサ、交通状況受信装置、輝度センサ等から走行速度、渋滞状況、天候、周囲輝度等の車両および走行環境に係る情報を取得するとともに、取得した各種情報に基づき、映像の表示倍率に関する指示を映像サイズ制御部１６ｂに通知する処理を行う処理部である。たとえば、この車両情報取得部１６ｅは、渋滞中の場合には、利用者が映像を見ることが予想されるので、画質劣化を防止するために、表示倍率を低くするように映像サイズ制御部１６ｂに対して指示する。
【００４１】
個人特性取得部１６ｅは、運転者によって入力された年齢や性別、運転者を撮像するカメラによって取得された運転者の視覚疲労の状況などを取得するとともに、取得した各種情報に基づき、映像の表示倍率に関する指示を映像サイズ制御部１６ｂに通知する処理を行う処理部である。たとえば、この個人特性取得部１６ｅは、運転者が高齢である場合には、低い表示倍率では映像を見にくいことが予想されるので、表示倍率を高くするように映像サイズ制御部１６ｂに対して指示する処理を行う。
【００４２】
行動特性取得部１６ｇは、運転者ごとの運転履歴を蓄積したデータベースおよび現在時刻に基づき、映像の表示倍率に関する指示を映像サイズ制御部１６ｂに通知する処理を行う処理部である。たとえば、この行動特性取得部１６ｇは、昼間であれば表示倍率を小さく、夜間であれば表示倍率を大きくするように映像サイズ制御部１６ｂに対して指示したり、運転履歴および現在時刻から出勤時間と判定された場合には表示倍率を大きく、退勤時間と判定された場合には表示倍率を小さくするように映像サイズ制御部１６ｂに対して指示したりする処理を行う。
【００４３】
次に、映像サイズ制御部１６ｂが行う表示倍率決定処理のバリエーションについて図４、図５および図６を用いて説明する。なお、図４〜図６では、説明をわかりやすくするために、映像サイズを「大」および「小」の２段階にする場合について示すこととする。また、映像劣化検出部１６ａが行う上記したランク付けについても画質「優」および画質「劣」の２段階として示している。
【００４４】
図４は、自系列の映像データの対比に基づく映像特性を用いた表示倍率決定処理の処理手順を示すフローチャートである。同図に示すように、図示しない番組選択ボタン等の入力機器がチャンネルの変更を検知したか否かを判定する（ステップＳ１０１）。そして、チャンネル変更が検知されない場合には（ステップＳ１０１，Ｎｏ）、チャンネル変更を待ち合わせる。
【００４５】
そして、チャンネルの変更が検知された場合には（ステップＳ１０１，Ｙｅｓ）、映像劣化検出部１６ａが、自系列の映像データを対比し（ステップＳ１０２）、この対比結果に基づく上記したランク付け結果を受け取った映像サイズ制御部１６ｂは、映像の動きが画質「優」に該当するか否かを判定する（ステップＳ１０３）。そして、画質「優」に該当しない場合には（ステップＳ１０３，Ｎｏ）、映像サイズを「小」とし（ステップＳ１０７）、処理を終了する。
【００４６】
一方、ステップＳ１０３の判定条件を満たす場合には（ステップＳ１０３，Ｙｅｓ）、つづいて、映像の輝度変化が画質「優」に該当するか否かを判定する（ステップＳ１０４）。そして、画質「優」に該当しない場合には（ステップＳ１０４，Ｎｏ）、映像サイズを「小」とし（ステップＳ１０７）、処理を終了する。
【００４７】
また、ステップＳ１０４の判定条件を満たす場合には（ステップＳ１０４，Ｙｅｓ）、所定時間が経過したか否かが判定され（ステップＳ１０５）、所定時間が未だ経過していない場合には（ステップＳ１０５，Ｎｏ）、ステップＳ１０２以降の処理を繰り返す。一方、所定時間が経過した場合には（ステップＳ１０５，Ｙｅｓ）、映像サイズを「大」とし（ステップＳ１０６）、処理を終了する。
【００４８】
図５は、受信波の電界強度および映像復元精度に基づく表示倍率決定処理の処理手順を示すフローチャートである。同図に示すように、図示しない番組選択ボタン等の入力機器がチャンネルの変更を検知したか否かを判定する（ステップＳ２０１）。そして、チャンネル変更が検知されない場合には（ステップＳ２０１，Ｎｏ）、チャンネル変更を待ち合わせる。
【００４９】
そして、チャンネルの変更が検知された場合には（ステップＳ２０１，Ｙｅｓ）、映像劣化検出部１６ａがＲＦ／ＩＦ１１から電界強度を取得し（ステップＳ２０２）、映像劣化検出部１６ａから上記したランク付け結果を受けとった映像サイズ制御部１６ｂは、電界強度が画質「優」に該当するか否かを判定する（ステップＳ２０３）。そして、画質「優」に該当しない場合には（ステップＳ２０３，Ｎｏ）、映像サイズを「小」とし（ステップＳ２０８）、処理を終了する。
【００５０】
一方、ステップＳ２０３の判定条件を満たす場合には（ステップＳ２０３，Ｙｅｓ）、映像劣化検出部１６ａがＯＦＤＭ１２からのＳＰ信号およびＣＰ信号に基づいて映像復元精度を取得し（ステップＳ２０４）、映像劣化検出部１６ａから上記したランク付け結果を受けとった映像サイズ制御部１６ｂは、復元精度が画質「優」に該当するか否かを判定する（ステップＳ２０５）。そして、画質「優」に該当しない場合には（ステップＳ２０５，Ｎｏ）、映像サイズを「小」とし（ステップＳ２０８）、処理を終了する。
【００５１】
また、ステップＳ２０５の判定条件を満たす場合には（ステップＳ２０５，Ｙｅｓ）、つづいて、所定時間が経過したか否かが判定され（ステップＳ２０６）、所定時間が未だ経過していない場合には（ステップＳ２０６，Ｎｏ）、ステップＳ２０２以降の処理を繰り返す。一方、所定時間が経過した場合には（ステップＳ２０６，Ｙｅｓ）、映像サイズを「大」とし（ステップＳ２０７）、処理を終了する。
【００５２】
図６は、番組ジャンルに基づく表示倍率決定処理の処理手順を示すフローチャートである。同図に示すように、図示しない番組選択ボタン等の入力機器がチャンネルの変更を検知したか否かを判定する（ステップＳ３０１）。そして、チャンネル変更が検知されない場合には（ステップＳ３０１，Ｎｏ）、チャンネル変更を待ち合わせる。
【００５３】
そして、チャンネルの変更が検知された場合には（ステップＳ３０１，Ｙｅｓ）、映像サイズ制御部１６ｂは、番組ジャンル取得部１６ｄから番組ジャンルを取得し（ステップＳ３０２）、映像変化大のジャンル（たとえば、スポーツ中継番組や音楽番組）であるか否かを判定する（ステップＳ３０３）。そして、映像変化大のジャンルではない場合には（ステップＳ３０３，Ｎｏ）、映像サイズを「小」とし（ステップＳ３０５）、処理を終了する。
【００５４】
一方、ステップＳ３０３の判定条件を満たした場合には（ステップＳ３０３，Ｙｅｓ）、映像サイズを「大」とし（ステップＳ３０４）、処理を終了する。なお、図６では、チャンネル変更検出をトリガーとして表示倍率決定処理を行うこととしたが、受信波に含まれるすべてのチャンネルの番組ジャンルを取得しておき、各番組ジャンルに対応する表示倍率を予め決定することとしてもよい。このようにすることで、チャンネルを変更するとすぐに、予め決定しておいた表示倍率で表示することが可能となる。
【００５５】
なお、図４、図５および図６で、別々に示した処理手順を組み合わせて表示倍率を決定することとしてもよい。また、表示倍率決定処理のトリガーを、チャンネル変更検知以外のもの、たとえば、３０分や１時間などの所定時間間隔、コマーシャルが放送されるタイミング等としてもよい。
【００５６】
上述してきたように、本実施例によれば、映像変化検出部が、映像データの特性を表す映像特性を取得し、映像サイズ制御部が、取得された映像特性に基づいて映像データを表示する際の表示倍率を決定することとしたので、コストの低減を図りつつ、表示される映像の画質劣化を防止することができる。
【００５７】
また、映像サイズ制御部は、番組ジャンル取得部、車両情報取得部、個人特性取得部および行動特性取得部から受け取った情報に基づいて映像データを表示する際の表示倍率を決定するので、表示倍率決定を柔軟に行うことができる。
【産業上の利用可能性】
【００５８】
以上のように、本発明に係る表示装置および表示方法は、ソース映像サイズと、表示先となるディスプレイの表示サイズとが異なる場合における画質劣化の防止に有用であり、特に、ワンセグ放送に係る映像を表示する場合における画質劣化の防止に適している。
【図面の簡単な説明】
【００５９】
【図１】本実施例に係る表示装置の概要を示す図である。
【図２】表示装置の構成を示すブロック図である。
【図３】画面制御部によって出力されるビデオ出力の例を示す図である。
【図４】時系列の映像データの対比に基づく映像特性を用いた表示倍率決定処理の処理手順を示すフローチャートである。
【図５】受信波の電界強度および映像復元精度に基づく表示倍率決定処理の処理手順を示すフローチャートである。
【図６】番組ジャンルに基づく表示倍率決定処理の処理手順を示すフローチャートである。
【符号の説明】
【００６０】
１０    表示装置
１１    ＲＦ／ＩＦ
１２    ＯＦＤＭ
１３    Ｄｅｍｕｘ
１４    ＡＡＣデコーダ
１５    Ｈ２６４デコーダ
１６    制御部
１６ａ  映像劣化検出部
１６ｂ  映像サイズ制御部
１６ｃ  画面制御部
１６ｄ  番組ジャンル取得部
１６ｅ  車両情報取得部
１６ｆ  個人特性取得部
１６ｇ  行動特性取得部
【図１】
2009141389.tif 000003
【図２】
2009141389.tif 000004
【図３】
2009141389.tif 000005
【図４】
2009141389.tif 000006
【図５】
2009141389.tif 000007
【図６】
2009141389.tif 000008